(57)【要約】【課題】台所や料理店等、油分の飛散が多い環境でも、フィルタ清掃機能を十分に発揮する空気調和機を提供する。【解決手段】熱交換器２と、前記熱交換器２の上流側に配されたフィルタ４と、前記フィルタ４に付着したホコリを除去する吸い込みノズル５と、除去したホコリを吸引・排気する吸引排気装置６とを備え、前記フィルタ４の表面または内部に光触媒を保持したもので、台所や料理店等、油分の飛散が多い環境でも、フィルタ清掃機能を十分に発揮すると共に、光触媒による抗菌効果により、室内空気の浄化や、フィルタ４上での菌の繁殖を抑制することができる空気調和機を提供できる。【選択図】図３
2008175407.tif 000002
【特許請求の範囲】
【請求項１】
熱交換器と、前記熱交換器の上流側に配されたフィルタと、前記フィルタに付着したホコリを除去するホコリ除去手段と、除去したホコリを吸引・排気する吸引排気装置とを備え、前記フィルタの表面または内部に光触媒を保持したことを特徴とする空気調和機。
【請求項２】
ホコリ除去手段のフィルタ面に近い位置に、光触媒作用を起こさせる発光手段を配したことを特徴とする請求項１に記載の空気調和機。
【請求項３】
ホコリ除去手段を、フィルタ面上を移動可能に設けたことを特徴とする請求項２に記載の空気調和機。
【請求項４】
光触媒は、銀または銀系化合物からなることを特徴とする請求項１〜３のいずれか１項に記載の空気調和機。
【発明の詳細な説明】
【技術分野】
【０００１】
本発明は、空気調和機に係わり、より詳細には、フィルタ上のホコリを自動的に清掃するフィルタ清掃機能を有する空気調和機に関するものである。
【背景技術】
【０００２】
従来のこの種の空気調和機について図５を用いて説明する。図５は、従来の空気調和機のフィルタ清掃機構の斜視図である。
【０００３】
図５において、従来の空気調和機は、移動可能な吸い込みノズル５をフィルタ４の風上側に配し、さらに前記吸い込みノズル５からのホコリを吸引・排気する吸引排気装置６を配し、この吸引排気装置６はモータ（図示せず）を内蔵したシロッコファン（図示せず）と前記シロッコファンを囲むケーシング（図示せず）とから形成し、前記ケーシングの吸い込み口を前記吸い込みノズル５に連通する吸い込みダクト７と繋ぎ、前記ケーシングの吹き出し口を室外へ排気する排気ダクト８に連通させて、フィルタ４から吸引したホコリを室外に排出できるようにしている（例えば、特許文献１参照）。
【特許文献１】特開２００４−３５３９６６号公報
【発明の開示】
【発明が解決しようとする課題】
【０００４】
しかしながら、前記従来の空気調和機の構成では、以下のような課題を有していた。
【０００５】
上記空気調和機が、台所や料理店等に設置された場合等、空気中に油分が多く飛散する環境下では、油分がフィルタ４上に多く付着して、ホコリがフィルタ繊維から剥がれにくくなるため、フィルタ４に残ってしまうことがあり、フィルタ４の自動清掃が十分に行われないといった課題があった。
【０００６】
本発明は、前記従来の課題を解決するもので、台所や料理店等、油分の飛散が多い環境でも、フィルタ清掃機能を十分に発揮できる空気調和機を提供することを目的とする。
【課題を解決するための手段】
【０００７】
前記従来の課題を解決するために、本発明の空気調和機は、熱交換器と、前記熱交換器の上流側に配されたフィルタと、前記フィルタに付着したホコリを除去するホコリ除去手段と、除去したホコリを吸引・排気する吸引排気装置とを備え、前記フィルタの表面または内部に光触媒を保持したもので、台所や料理店等、油分の飛散が多い環境でも、フィルタ清掃機能を十分に発揮する空気調和機を提供することができるというものである。さらに、光触媒による抗菌効果により、室内空気の浄化や、フィルタ上での菌の繁殖を抑制する効果も提供することができるものである。
【発明の効果】
【０００８】
本発明の空気調和機は、台所や料理店等、油分の飛散が多い環境でも、フィルタ清掃機能を十分に発揮する空気調和機を提供することができる。さらに、光触媒による抗菌効果により、室内空気の浄化や、フィルタ上での菌の繁殖を抑制する効果も提供することができるものである。
【発明を実施するための最良の形態】
【０００９】
第１の発明は、熱交換器と、前記熱交換器の上流側に配されたフィルタと、前記フィルタに付着したホコリを除去するホコリ除去手段と、除去したホコリを吸引・排気する吸引
排気装置とを備え、前記フィルタの表面または内部に光触媒を保持したもので、台所や料理店等、油分の飛散が多い環境でも、フィルタ清掃機能を十分に発揮する空気調和機を提供することができるというものである。さらに、光触媒による抗菌効果により、室内空気の浄化や、フィルタ上での菌の繁殖を抑制する効果も提供することができるものである。
【００１０】
第２の発明は、特に、第１の発明のホコリ除去手段のフィルタ面に近い位置に、光触媒作用を起こさせる発光手段を配したもので、ホコリ除去手段をフィルタ上で移動するように設けた場合、わずかな発光手段で、フィルタ全面に光を照射できるので、安価に構成できる。
【００１１】
第３の発明は、特に、第２の発明のホコリ除去手段を、フィルタ面上を移動可能に設けたもので、少ない吸引力で、すなわち、小型の吸引排気装置で、フィルタの全面を清掃できるので、安価で、小型の空気調和機を提供できる。
【００１２】
第４の発明は、特に、第１〜３のいずれか一つの発明の光触媒は、銀または銀系化合物からなるもので、油分の多いホコリを強力に分解してホコリの除去性能が向上すると共に、抗菌効果、空気の浄化能力が向上する。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の断面図、図２は、同空気調和機のフィルタ清掃機構の斜視図、図３は、同フィルタ清掃機構の吸い込みノズルの分解斜視図と断面図、図４は、同吸い込みノズルの動作説明図である。
【００１５】
図１〜図４において、本実施の形態における空気調和機の室内機１の内部に、熱交換器２と本体送風ファン３を有し、室内機１のフィルタ４に付着するホコリを吸引し、フィルタ４上を、左右方向に図示しない駆動手段Ａによって移動するホコリ除去手段として吸い込みノズル５をフィルタ４の風上側に配し、さらにホコリを吸引・排気する吸引排気装置６を室内機１の側面に配置している。
【００１６】
また、吸い込みノズル５と吸引排気装置６は、吸い込みダクト７で繋がれ、吸引排気装置６の排気側には、屋外につながる排気ダクト８が接続されている。さらに、吸い込みノズル５のフィルタ４に光を照射可能な位置に発光手段として、複数の紫外線ＬＥＤ１１が列状に並んで設けられている。
【００１７】
一方、フィルタ４の枠および繊維部分の表面又は／及び内部には、光触媒が塗布されている。
【００１８】
吸い込みノズル５は、縦方向にスリット状の吸引口５ａを有するノズル本体５ｂと、吸引口５ａより開口面積が小さい第２の吸引口１４ａを有し、ノズル本体５ｂの表面に沿って図示しない駆動手段Ｂで上下方向に移動されるベルト状のフイルム１４と、縦方向に、吸引口５ａと略同幅のスリット状の第３の吸引口１５ａを有し、フイルム１４を覆うフイルムカバー１５から構成され、吸引口５ａと、第２の吸引口１４ａと、第３の吸引口１５ａは、図３（ｂ）に示すように、左右方向で同一箇所に位置している。１４ｂは、フイルム１４に設けた第２の吸引口１４ａに近接させて設けたブラシで、フィルタ４に付着したホコリを掻き取るものである。
【００１９】
次に、本実施の形態における空気調和機のフィルタ４の清掃時の動作について説明する
。
【００２０】
吸引排気装置６を運転すると、フィルタ４上のホコリは、第３の吸引口１５ａ、第２の吸引口１４ａ、吸引口５ａを通って、吸い込みノズル５内に吸い込まれ、以後、吸い込みダクト７を通って、吸引排気装置６内に吸い込まれ、その後、ホコリは吸引排気装置６内で昇圧され、排出口１０から排気ダクト８を通って屋外に排出される。ここで、予め、吸い込みノズル５をフィルタ４の右端に寄せておき、フイルム１４に設けた第２の吸引口１４ａを下端に位置させておき、フイルム１４の第２の吸引口１４ａを上方に移動させながら吸引排気装置６を運転することにより、フィルタ４の右端が清掃される。
【００２１】
フイルム１４の第２の吸引口１４ａが上端に達したら、駆動手段Ａを駆動して吸い込みノズル５を、第２の吸引口１４ａの幅の分だけ左に移動させ、駆動手段Ｂを駆動してフイルム１４を下方に移動させながら吸引排気装置６を運転することで、フィルタ４が清掃される。これを順次繰り返すことにより、フィルタ４の全面を清掃することができる。
【００２２】
また、吸い込みノズル５の移動に伴い、紫外線ＬＥＤ１１によりフィルタ４の全面に紫外光が照射される。
【００２３】
空気調和機が、台所や料理店等に設置された場合等、特に、空気中に油分が多く飛散する環境下では、油分がフィルタ４上に多く付着して、ホコリがフィルタ４の繊維から剥がれにくくなるため、通常の吸引清掃やブラシによる清掃のみでは、ホコリがフィルタに残ってしまうことがある。
【００２４】
しかし、本実施の形態では、フィルタ４の枠および繊維部分に塗布された光触媒が、吸い込みノズル５に設けられた紫外線ＬＥＤ１１からの紫外光により励起され、油分のような有機物を、二酸化炭素と水に分解する。この結果、フィルタ４上のホコリが剥がれやすくなり、ホコリがフィルタ４に残ってしまうことがなくなる。
【００２５】
フィルタ４に塗布される光触媒としては、酸化チタン、酸化銀、酸化銅等があり、上記のように、油分等有機物の分解のみならず、抗菌、防カビ効果を持ち、室内空気の浄化や、フィルタ４上での菌の繁殖を抑制する効果も提供することができる。
【００２６】
また、酸化チタン、銀を坦持したリン酸ジルコニウムを塗布すれば、酸化チタン、銀を坦持したリン酸ジルコニウムは、元来抗菌効果を持つが、光で励起されるとさらに強い抗菌作用を示すため（可視光でも効果がある）、より強い抗菌効果が得られる。
【００２７】
なお、本実施の形態では、列状に並んだ複数の紫外線ＬＥＤ１１が左右に動くとしたが、１個の紫外線ＬＥＤ１１が上下左右に動くとしても、本実施の形態より劣るが同様の効果を奏する。
【００２８】
また、本実施の形態では、光触媒作用を起こさせる発光手段として、紫外線ＬＥＤ１１を用いたが、やや波長の長い紫色や青色の光源を用いても、本実施の形態より劣るが同様の効果を奏する。
【００２９】
さらに、吸入グリル１２の開口部１２ａより室内光が入るような構成とすることで、専用の発光手段を用いずとも、本実施の形態より劣るが同様の効果を奏する。
【産業上の利用可能性】
【００３０】
以上のように、本発明にかかる空気調和機は、台所や料理店等、油分の飛散が多い環境でも、フィルタ清掃機能を十分に発揮する空気調和機を提供することができるというもの
である。さらに、光触媒による抗菌効果により、室内空気の浄化や、フィルタ上での菌の繁殖を抑制する効果も提供することができるものであり、空気調和機の室内機以外に、送風機とフィルタを有する装置一般における、フィルタ清掃装置にも広く適用できる。
【図面の簡単な説明】
【００３１】
【図１】本発明の実施の形態１における空気調和機の断面図
【図２】同空気調和機のフィルタ清掃機構の斜視図
【図３】（ａ）同フィルタ清掃機構の吸い込みノズルの分解斜視図（ｂ）図３（ａ）のＣ部断面図
【図４】同吸い込みノズルの動作説明図
【図５】従来の空気調和機のフィルタ清掃機構の斜視図
【符号の説明】
【００３２】
１  室内機
２  熱交換器
３  本体送風ファン
４  フィルタ
５  吸い込みノズル（ホコリ除去手段）
６  吸引排気装置
７  吸い込みダクト
８  排気ダクト
１０  排出口
１１  紫外線ＬＥＤ（発光手段）
【図１】
2008175407.tif 000003
【図２】
2008175407.tif 000004
【図５】
2008175407.tif 000005
【図３】
2008175407.tif 000006
【図４】
2008175407.tif 000007